(57)【要約】【課題】  前方が開口した吊戸棚本体に対して上下スライド可能な開閉扉を後付けで取り付け可能とすると共に、既存の吊戸棚本体をそのまま利用可能な上下スライド開閉扉を提供すること。【解決手段】  前方Ｆが開口した吊戸棚本体２の両側板２ａの前端側に取り付けられる左右一対の扉レールと、この扉レール間に上下スライド可能に設けられて吊戸棚本体２の前方開口を開閉する開閉扉３と、両側板２ａの後端側に取り付けられる左右一対の錘摺動レールと、この錘摺動レール間に上下摺動自在に設けられて開閉扉３とバランスをとる錘と、開閉扉３と錘とを繋いで両側板２ａの上端側に架け渡されるワイヤーとを備えている。【選択図】        図１
2005097983.tif 000002
【特許請求の範囲】
【請求項１】
前方が開口した吊戸棚本体の両側板の前端側に取り付けられる左右一対の扉レールと、この扉レール間に上下スライド可能に設けられて上下寸法が吊戸棚本体の前方開口の上下寸法よりも短い開閉扉と、両側板の後端側に取り付けられる左右一対の錘摺動レールと、この錘摺動レール間に上下摺動自在に設けられて開閉扉とバランスをとる錘と、開閉扉と錘とを繋いで両側板の上端側に架け渡されるワイヤーとを備えていることを特徴とする上下スライド開閉扉。
【請求項２】
上記吊戸棚本体内部において錘を前方から覆い隠すための背面板を備えると共に、錘摺動レールの前壁を背面板を取り付ける背面板取付け部とし、錘摺動レールの所定高さに、錘を仮保持する仮保持用ネジを前方から着脱自在に挿入するためのネジ孔を設け、背面板を取り付けない状態で仮保持用ネジをネジ孔から挿入して錘摺動レールに対して錘を仮保持したときに仮保持用ネジのネジ頭が背面板取付け部から突出した形状となり、仮保持用ネジをネジ孔から取り外したときのみ背面板取付け部に対して背面板を取り付け可能としたことを特徴とする請求項１記載の上下スライド開閉扉。
【発明の詳細な説明】
【技術分野】
【０００１】
本発明は、錘バランス式の上下スライド開閉扉に関し、詳しくは前方が開口した吊戸棚本体に対して上下スライド可能な開閉扉を後付けで取り付け可能とする技術に関するものである。
【背景技術】
【０００２】
従来から、キッチンの上部に取り付けられる吊戸棚１として、図１３、図１４に示すように、前方Ｆへ開口した吊戸棚本体２’と、この吊戸棚本体２’の前方開口１７を開閉する上扉３Ａと下扉３Ｂとからなる開閉扉３と、開閉扉３を上下の任意のスライド位置で保持するための錘６とを備えた、錘バランス式の上下スライド開閉扉が知られている（例えば、特許文献１参照）。
【０００３】
ところが従来では、吊戸棚本体２’の上面部に前後方向にガイドレール４０及びローラー４１を設置し、左右の上下スライドレール４２に沿って上方に持ち上げた上扉３Ａを更に水平向きを方向変換（図１４の矢印イ→ロ方向）させて吊戸棚本体２’の上面部に格納する構造となっており、このため吊戸棚本体２’の上面に天井との間に上方格納スペース４６を別途設ける必要があり、さらに吊戸棚本体２’の背面部に、壁との間に錘６を上下スライド可能に収めるための収納スペース４５を別途設ける必要がある。このため、従来の上下スライド式の吊戸棚１を得るにあたり、既存の開き戸式の吊戸棚をそのまま用いることができず、かりに上下スライド開閉扉とする場合は、既存の吊戸棚全体を入れ替える必要があり、コストがかかるという問題があった。とくに従来では上扉３Ａのサイズが下扉３Ｂに比して大きいため、上扉３Ａが重く、これに伴い錘６が大型化するため、扉とバランスをとるための錘６の収納スペース不足に陥るという問題もある。
【特許文献１】実開平５−２０６３７号公報
【発明の開示】
【発明が解決しようとする課題】
【０００４】
本発明は上記の従来の問題点に鑑みて発明したものであって、前方が開口した吊戸棚本体に対して上下スライド可能な開閉扉を後付けで取り付け可能とすると共に、既存の吊戸棚がそのまま利用可能な上下スライド開閉扉を提供することを課題とするものである。
【課題を解決するための手段】
【０００５】
上記課題を解決するために請求項１に係る発明にあっては、前方Ｆが開口した吊戸棚本体２の両側板２ａの前端２ｃ側に取り付けられる左右一対の扉レール４，４と、この扉レール４，４間に上下スライド可能に設けられて上下寸法が吊戸棚本体２の前方開口１７の上下寸法よりも短い開閉扉３と、両側板２ａの後端２ｄ側に取り付けられる左右一対の錘摺動レール５，５と、この錘摺動レール５，５間に上下摺動自在に設けられて開閉扉３とバランスをとる錘６と、開閉扉３と錘６とを繋いで両側板２ａの上端側に架け渡されるワイヤー７とを備えていることを特徴としている。
【０００６】
このような構成とすることで、扉レール４，４を吊戸棚本体２の両側板２ａの前端２ｃに取り付けるだけで、開閉扉３の組み付けを容易に行なうことができ、また錘摺動レール５，５を両側板２ａの後端２ｄに取り付けるだけで、吊戸棚本体２に対する錘６及び錘摺動レール５，５の組み付けを容易に行なうことができ、さらに開閉扉３と錘６とをワイヤー７で繋いで両側板２ａの上端のプーリー８に架け渡すだけで、吊戸棚本体２に対して上下スライド可能な開閉扉３が後付けで取り付け可能となる。しかも、開閉扉３の上下寸法を前方開口１７より短くすることで、開閉扉３を上下に移動させるだけで吊戸棚本体２の前方開口１７の上半分或いは下半分を部分的に解放でき、吊戸棚本体２上下への食器等が出し入れ可能となるため、従来のように吊戸棚の上面に天井との間に開閉扉３のための上方格納スペースを設ける必要がなくる。また、上記のように開閉扉３の上下寸法を短くすることで、開閉扉３の薄型化及び小型化が可能となり、これに伴い、錘６の軽量小型化が可能となり、従来のように吊戸棚の背面部に大きな錘６を収納するための大きな背後スペースを設ける必要もなくなる。結果、上下スライド可能な開閉扉３付き吊戸棚１を得るために既存の吊戸棚をそのまま用いることができ、コスト的にも有利となる。
【０００７】
また請求項２に係る発明にあっては、上記吊戸棚本体２内部において錘６を前方Ｆから覆い隠すための背面板９を備えると共に、錘摺動レール５の前壁５ａを背面板９を取り付ける背面板取付け部５０とし、錘摺動レール５の所定高さに、錘６を仮保持する仮保持用ネジ１０を前方Ｆから着脱自在に挿入するためのネジ孔１１を設け、背面板９を取り付けない状態で仮保持用ネジ１０をネジ孔１１から挿入して錘摺動レール５に対して錘６を仮保持したときに仮保持用ネジ１０のネジ頭１０ｃが背面板取付け部５０から突出した形状となり、仮保持用ネジ１０をネジ孔１１から取り外したときのみ背面板取付け部５０に対して背面板９を取り付け可能とするのが好ましく、この場合、運搬時には錘摺動レール５と錘６とを仮保持用ネジ１０で仮保持しておくことができるので、運搬中の錘６のあばれを防止でき、運搬が容易となる。また組み立て時には仮保持用ネジ１０を用いて錘６を仮保持できるので、開閉扉３の取り付け作業が良好になると共に、仮保持用ネジ１０を取り外さないかぎり、背面板９の取り付けができないため、仮保持用ネジ１０で錘保持具１６を固定したままで誤って背面板９を取り付けてしまうことを防止でき、施工間違いによるトラブルを未然に防止できる。さらに錘６を前方Ｆから背面板９によって覆い隠すことができ、錘６の納まりが良好となると共に、開閉扉３や錘６のメンテナンスを行なう際には、メンテナンス中に錘６を仮保持用ネジ１０で仮固定できるので、メンテナンス作業を安全に行なえるようになる。
【発明の効果】
【０００８】
本発明は、吊戸棚本体の前方開口に上下スライド可能な開閉扉を後付けで容易に取り付け可能となり、従来のように上下スライド可能な開閉扉付き吊戸棚を得るために既存の吊戸棚をそのまま使用でき、コスト的に有利となる。
【発明を実施するための最良の形態】
【０００９】
以下、本発明を添付図面に示す実施形態に基いて説明する。
【００１０】
本実施形態の錘バランス式の上下スライド開閉扉は、例えばキッチンの上部に取り付けられる吊戸棚本体２の前方開口１７に上下スライド可能に取り付けられ、開閉扉３を開いた際に錘６とのバランスによって、開閉扉３がそのスライド位置で停止することで、開いた吊戸棚本体２内に台所用品等を使用し易い状態に仮置きすることができ、使い勝手が良くなるものである。なお吊戸棚本体２は例えば天袋の下側に付設されるものであってもよいが、その取り付け位置については特に限定されない。また吊戸棚本体２は既存のもの、新設のもののいずれであってもよい。
【００１１】
本例の開閉扉３は、図１〜図３に示すように、上扉３Ａと下扉３Ｂの二枚扉からなる。上扉３Ａと下扉３Ｂのそれぞれの上下寸法は、吊戸棚本体２の前方開口１７の上下寸法の略１／２より若干大きめに設定されており、上扉３Ａと下扉３Ｂとを上下に引き違いに保持することで前方開口１７を完全に閉鎖できるようになっている。また上扉３Ａのみを下げて前方開口１７の上半分だけを解放したり、或いは下扉３Ｂのみを上げて前方開口１７の下半分を解放したりして使用可能である。
【００１２】
上記吊戸棚本体２の両側板２ａの前端２ｃ側には、開閉扉３の左右の両側端部を上下方向にスライド可能に支持する左右一対の扉レール４，４が設置されている。この扉レール４，４は平面視略コ字形に形成されており、図５に示すように、扉レール４の後壁４ａを吊戸棚本体２の側板２ａの前端木口面２ｅに取り付け、フランジ部６０を側板２ａ内面に取り付けている。扉レール４の内面には、下扉用ころ１８のガイド溝２２と上扉用ころ１９のガイド溝２３とが前後に対向して設けられている。下扉用ころ１８の軸部２０には、一端が下扉３Ｂの側端部に取り付けられる平面視略Ｚ字形の扉固定用プレート３０の他端が固着されており、上扉用ころ１９の軸部２１には、一端が上扉３Ａの側端部に取り付けられる平板形の扉固定用プレート３０’の他端が固着されている。
【００１３】
また上記扉レール４の下端には、図６に示すキャップ１５が装着可能とされる。キャップ１５は、扉レール４の下端からワイヤー７と扉固定用プレート３０を挿入した後に装着されるものであり、開閉扉３が下限位置にきたときに扉固定用プレート３０（図５）がキャップ１５に当たることで、開閉扉３を下限位置で保持できるようになっている。なお、キャップ１５に代えて、図７に示すように吊戸棚本体２の底板２ｆの前端に沿って開閉扉３の戸当たり部となる下枠３１を取り付けることも可能である。
【００１４】
一方、上記吊戸棚本体２の両側板２ａの後端２ｄ側には、左右一対の錘摺動レール５，５が設置される。この錘摺動レール５，５は、開閉扉３とバランスをとるための錘６の錘保持具１６を上下摺動可能に支持するものである。錘６は図８に示すように上扉用錘６Ａと下扉用錘６Ｂとからなる。本例の錘摺動レール５，５は平面視略コ字形に形成されており、図３に示すように吊戸棚本体２の側板２ａの内面に取り付けられる。錘摺動レール５の前壁５ａの一部は側方に向って突出しており、その前壁面が後述の背面板取付け部５０となっている。また錘摺動レール５の内面には、図９に示すように、下扉用錘６Ｂのころ２５のガイド溝２６と、上扉用錘６Ａのころ２４のガイド溝２７とが前後に対向して設けられている。下扉用錘６Ｂのころ２５の軸部２８には、一端が下扉用錘６Ｂの側端部に取り付けられる平面視略Ｚ字形の錘保持具１６の他端が固着されており、上扉用錘６Ａのころ２４の軸部２９には、一端が上扉用錘６Ａの側端部に取り付けられる平面視略Ｚ字形の錘保持具１６の他端が固着されている。
【００１５】
吊戸棚本体２の両側板２ａの前後両端にはプーリー８が設けられ、各プーリー８を介して開閉扉３と錘６とを繋ぐワイヤー７が架け渡されている。本例では、図２、図４、図９に示すように、上扉３Ａの扉固定用プレート３０と上扉用錘６Ａの錘保持具１６とを左右２本の上扉用ワイヤー７Ａを介して各々繋ぐと共に、一方の上扉用ワイヤー７Ａを一方のプーリー８Ａ，８Ａに架け渡し、他方の上扉用ワイヤー７Ａを他方のプーリー８Ａ，８Ａに架け渡してある。同様にして、下扉３Ｂの扉固定用プレート３０と下扉用錘６Ｂの錘保持具１６とを２本の下扉用ワイヤー７Ｂを介して各々繋ぐと共に、それぞれプーリー８Ｂ，８Ｂに架け渡してある。なお本例では各プーリー８（８Ａ，８Ｂ）を、それと対応する各レール４，５のガイド溝２２，２３，２６，２７の上方位置に各々配置した状態で、プーリー８を支持するプーリー金具７０を吊戸棚本体２の側板２ａにネジ止めしている。
【００１６】
図１２は吊戸棚本体２内部において錘６を前方Ｆから覆い隠すための背面板９を備えると共に、錘摺動レール５の前壁５ａを背面板取付け部５０とした場合の一例を示している。図１１に示すように、錘摺動レール５の所定高さにはネジ孔１１が設けられている。このネジ孔１１は、本例では図１２に示すように、上扉用錘６Ａを固定するネジ孔１１ａと、下扉用錘６Ｂを固定するネジ孔１１ｂとからなり、図１１に示す長寸の仮保持用ネジ１０ａを上方のネジ孔１１ａから挿入することで上扉用錘６Ａの錘保持具１６を仮止めできるようにし、また短寸の仮保持用ネジ１０ｂを下方のネジ孔１１ｂから挿入することで下扉用錘６Ｂの錘保持具１６を仮止めするようにしている。
【００１７】
次に、本発明の上下スライド開閉扉の取り付け手順の一例を説明する。先ず、吊戸棚本体２の両側板２ａの前端２ｃに扉レール４，４を取り付け、両側板２ａの後端２ｄに錘摺動レール５，５を取り付ける。次に、各レール４，５の上端部にそれぞれプーリー８（８Ａ，８Ｂ）を取り付ける。次に、扉レール４のガイド溝の下端からワイヤー７を通し、さらに扉固定用プレート３０を挿入し、さらに対応するプーリー８に掛け渡した上端で、ワイヤー７の先端を錘保持具１６に繋ぐ。その後、錘摺動レール５の上下の各ネジ孔１１ａ，１１ｂに仮保持用ネジ１０をそれぞれ挿入し、錘摺動レール５に対して上扉用錘６Ａ及び下扉用錘６Ｂを仮保持する（図１１の状態）。この状態で仮保持用ネジ１０のネジ頭１０ｃが背面板取付け部５０から突出した形状となるため、この段階では背面板９は取り付け不能である。その後、各錘保持具１６に錘６を取り付ける。その後、仮保持用ネジ１０を取り外して、図１２に示すように、背面板９の四隅のネジ挿入孔１３と錘摺動レール５の上下両端にそれぞれ設けた固定用ネジ孔１２とを位置合わせして、固定ネジ１４を用いて錘摺動レール５の前壁５ａに背面板９の四隅を固定する。その後、上下の各扉固定用プレート３０に上扉３Ａと下扉３Ｂとを各々取り付けると共に、扉レール４の下端にキャップ１５を装着して作業が完了する。
【００１８】
しかして、扉レール４，４を吊戸棚本体２の両側板２ａの前端２ｃに取り付けるだけで、開閉扉３の組み付けを容易に行なうことができ、さらに錘摺動レール５，５を両側板２ａの後端２ｄに取り付けるだけで、錘６及び錘摺動レール５，５の組み付けを容易に行なうことができ、さらに開閉扉３と錘６とをワイヤー７で繋いで両側板２ａの上端のプーリー８に架け渡すだけで、吊戸棚本体２に対して上下スライド可能な開閉扉３が後付けで容易に取り付け可能となる。しかも使用時には、上扉３Ａを下におろすことで前方開口１７の上半分を解放でき、下扉３Ｂを上に上げることで前方開口１７の下半分を解放できるので、従来のように開閉扉３全体を水平向きに格納する必要もない。つまり、開閉扉３を上下に移動させることで吊戸棚本体２の前方開口１７を部分的に解放でき、吊戸棚本体２上下への食器等が出し入れ可能となるため、従来のように吊戸棚の上面に天井との間に開閉扉３のための上方格納スペースを設ける必要がない。しかも、開閉扉３の上下寸法を吊戸棚本体２の前方開口１７の上下寸法よりも短くすることで、つまり、上下寸法が前方開口１７の略１／２より若干大きめの上扉３Ａと下扉３Ｂとに分けることで、開閉扉３の薄型化及び小型化が可能となり、これに伴い、錘６の軽量小型化が可能となり、従来のように吊戸棚の背面部に大きな錘６を収納するための大きな背後スペースを設けたりする必要もなくなる。そのうえ、上下スライド可能な開閉扉３付き吊戸棚１を得るために既存の吊戸棚をそのまま用いることができ、コスト的にきわめて有利となる。
【００１９】
また本例では、運搬時には錘摺動レール５と錘６とを仮保持用ネジ１０で仮保持しておくことができるので、運搬中の錘６のあばれを防止でき、運搬が容易となる。また組み立て時には仮保持用ネジ１０を用いて錘６を仮保持できるので、開閉扉３の取り付け作業が良好になると共に、仮保持用ネジ１０を取り外さないかぎり、背面板９の取り付けができないため、仮保持用ネジ１０で錘保持具１６を固定したままで誤って背面板９を取り付けてしまうことを防止でき、施工間違いによるトラブルを未然に防止できる。さらに錘６を前方Ｆから背面板９によって覆い隠すことができ、開閉扉３を開いたときでも錘６が見えることがないため、錘６の納まりが良好となると共に、開閉扉３や錘６のメンテナンスを行なう際には、メンテナンス中に錘６を仮保持用ネジ１０で仮固定できるので、メンテナンス作業を安全に行なえるという利点もある。
【００２０】
なお前記実施形態では、開閉扉３として上扉３Ａと下扉３Ｂの２枚扉を説明したが、必ずしも２枚扉に限られるものではなく、例えば１枚扉とし、その上下寸法を吊戸棚本体２の前方開口１７の上下寸法の略１／２とし、この１枚扉を上下させることで前方開口１７の上半分或いは下半分のいずれかを開ける構成としてもよいものである。
【図面の簡単な説明】
【００２１】
【図１】本発明の一実施形態の正面図である。
【図２】同上の側面図である。
【図３】同上の平面図である。
【図４】同上のワイヤーで扉固定用プレートと錘保持具とを繋いだ状態の説明図である。
【図５】同上の扉レールの平面図である。
【図６】同上の扉レールの下端にキャップを装着する場合の斜視図である。
【図７】同上のキャップに代えて、吊戸棚本体の底板の前端に戸当たりとなる下枠を取り付けた状態の斜視図である。
【図８】同上の錘を説明する斜視図である。
【図９】同上の錘保持具を錘摺動レールに取り付けた状態の平面図である。
【図１０】同上のプーリーを説明する斜視図である。
【図１１】同上の錘保持具を仮保持用ネジで仮保持する場合を説明する側面図である。
【図１２】同上の背面板を取り付ける場合を説明する斜視図である。
【図１３】従来例の斜視図である。
【図１４】従来例の側面図である。
【符号の説明】
【００２２】
１  吊戸棚
２  吊戸棚本体
２ａ  側板
２ｃ  前端
２ｄ  後端
３  開閉扉
４  扉レール
５  錘摺動レール
６  錘
７  ワイヤー
８  プーリー
９  背面板
１０  仮保持用ネジ
１０ａ  ネジ頭
１１  ネジ孔
１７  前方開口
５０  背面板取付け部
Ｆ  前方
【図１】
2005097983.tif 000003
【図２】
2005097983.tif 000004
【図３】
2005097983.tif 000005
【図４】
2005097983.tif 000006
【図５】
2005097983.tif 000007
【図６】
2005097983.tif 000008
【図７】
2005097983.tif 000009
【図８】
2005097983.tif 000010
【図９】
2005097983.tif 000011
【図１０】
2005097983.tif 000012
【図１１】
2005097983.tif 000013
【図１２】
2005097983.tif 000014
【図１３】
2005097983.tif 000015
【図１４】
2005097983.tif 000016